(57)【要約】【課題】ＩＣカードに対して行うポーリングのカードタイプを特定し、処理速度を向上させることができる入退出管理装置を得る。【解決手段】入退出者の顔画像を撮像するためのカメラ１と、入退出者が所持するＩＣカードのカード番号を読み取るカードリーダ部２と、撮像された顔画像のデータと読み取られたカードデータとに基づいて個人識別の照合処理を行い照合結果に基づいて入退出管理すべき扉の電気錠３の施解錠を制御するコントローラ４とを備え、前記コントローラ４は、予め登録された入退出者の顔画像のデータに対応するＩＣカードのカードタイプとカードデータとの対応テーブルを有し、顔画像のデータの認証判定の後に、前記対応テーブルを参照して顔画像のデータに対応するカードタイプを特定し、カードタイプに応じた通信方式に従って前記ＩＣカードのカードデータ読み取り操作を行う。【選択図】図２
2007164562.tif 000002
【特許請求の範囲】
【請求項１】
入退出者の顔画像を撮像するための撮像手段と、
入退出者が所持するＩＣカードのカードデータを読み取るカードリーダ手段と、
前記撮像手段により撮像された顔画像のデータと前記カードリーダ手段により読み取られたカードデータとに基づいて個人識別の照合処理を行い照合結果に基づいて入退出管理すべき扉の電気錠の施解錠を制御する制御手段と
を備え、
前記制御手段は、予め登録された入退出者の顔画像のデータに対応するＩＣカードのカードタイプとカードデータとの対応テーブルを有し、顔画像のデータの認証判定の後に、前記対応テーブルを参照して顔画像のデータに対応するカードタイプを特定し、カードタイプに応じた通信方式に従って前記ＩＣカードのカードデータ読み取り操作を行う
ことを特徴とする入退出管理装置。
【発明の詳細な説明】
【技術分野】
【０００１】
この発明は、顔画像と他の認証データとの照合に基づいて入退出管理する入退出管理装置に関するものである。
【背景技術】
【０００２】
従来の入退出管理装置として、入退出者の顔画像を撮像するためのカメラと、入退出者が所持するＩＣカードのカードデータを読み取るカードリーダと、前記カメラによる顔画像のデータと前記カードリーダにより読み取られたカードデータとに基づいて個人識別を行い入退出管理すべき扉の電気錠の施解錠を制御するものがある。
【０００３】
また、複数のカードタイプのＩＣカードと通信を行う際、ＩＣカードとの通信を計数して通信回数の多いカードタイプの通信方式の応答確認信号を送信するＩＣカードリーダ装置がある（例えば、特許文献１参照）。
【０００４】
また、出入口近傍に設けられた端末から認証データが入力されると入力者の画像を取得し保存する出入管理装置がある（例えば、特許文献２参照）。
【０００５】
さらに、人物を撮影した画像から良好な画質の顔画像を抽出し記録する顔画像記録装置及び情報管理システムがある（例えば、特許文献３参照）。
【０００６】
【特許文献１】特開２００５−１３６４７６号公報
【特許文献２】特開２００３−０６７８６９号公報
【特許文献３】特開２００３−０９９７６３号公報
【発明の開示】
【発明が解決しようとする課題】
【０００７】
しかしながら、従来の入退出管理装置において、顔認証後のＩＣカードの読取りの際、カードリーダで使用可能なカードタイプが複数存在するときには、そのタイプの数だけＩＣカードへのポーリングをしなければならないため、処理が遅くなってしまうという問題がある。また、カードやＩＤの照合後に顔認証を行うことも考えられるが、処理の流れとしても非効率的である。
【０００８】
そこで、この発明は上述した従来例における問題点を解消するためになされたもので、ＩＣカードに対して行うポーリングのカードタイプを特定し、処理速度を向上させることができる入退出管理装置を得ることを目的とする。
【課題を解決するための手段】
【０００９】
この発明に係る入退出管理装置は、入退出者の顔画像を撮像するための撮像手段と、入退出者が所持するＩＣカードのカード番号を読み取るカードリーダ手段と、前記撮像手段により撮像された顔画像のデータと前記カードリーダ手段により読み取られたカードデータとに基づいて個人識別の照合処理を行い照合結果に基づいて入退出管理すべき扉の電気錠の施解錠を制御する制御手段とを備え、前記制御手段は、予め登録された入退出者の顔画像のデータに対応するＩＣカードのカードタイプとカードデータとの対応テーブルを有し、顔画像のデータの認証判定の後に、前記対応テーブルを参照して顔画像のデータに対応するカードタイプを特定し、カードタイプに応じた通信方式に従って前記ＩＣカードのカードデータ読み取り操作を行うことを特徴とする。
【発明の効果】
【００１０】
この発明によれば、顔認証した顔画像ごとに登録されたカードタイプに応じた通信方式を選択して通信を行うだけで良いため、処理時間の短縮が図れる。また、処理時間の多くを占める顔認証を先に行うことで、処理をスムーズに行うことが可能となる。
【発明を実施するための最良の形態】
【００１１】
図１は、この発明の実施の形態に係る入退出管理装置の構成を示すブロック図である。図１に示される入退出管理装置は、入退出者の顔画像を撮像するための撮像手段としてのカメラ１と、入退出者が所持するＩＣカードを読み取るカードリーダ部２と、カメラ１により撮像された顔画像とカードリーダ部２により読み取られたカード番号とに基づいて個人識別の照合処理を行い、その照合結果に基づいて入退出管理すべき扉の電気錠３の施解錠を制御する制御手段としてのコントローラ４とを備えている。
【００１２】
ここで、コントローラ４は、図２に示す如く、予め登録された入退出者の顔画像とそれに対応するカードタイプとカード番号との対応テーブルを、図示しない内蔵する記憶部に格納している。例えば、顔画像「０００００１」の人は、検出するカードタイプが「近接型ＩＣカードタイプＡ」、カード番号「０１２３４５」のカードを所有していることが予め登録されている。
【００１３】
次に、本実施の形態に係る入退出管理装置の動作について図３に示すフローチャートを参照しつつ説明する。図３は、コントローラ４内の図示しない記憶部に格納された処理プログラムの制御内容を示す動作フローチャートである。まず、コントローラ４は、ステップ１において、カメラ１により入退出者の顔画像を検知することができたかを判断する。顔画像が検出された場合、ステップ２にて顔認証を行う。この際、コントローラ４には、図３に示す対応テーブルが予め登録されており、カメラ１により撮像された入退出者の顔画像の撮像データが対応テーブルの顔画像のデータと一致するかを認証処理する。
【００１４】
ステップ３において、認証判定結果、Ｙｅｓとなった場合は、ステップ４でその顔画像データにリンクしているカードタイプを図２に示す対応テーブルを参照して設定しそのカードタイプに応じた通信方式に従ってＩＣカードとの通信を行う。ステップ５において、カードリーダ部２からのデータに基づいてＩＣカードが検出されたと判断された場合は、ステップ６でカード番号を取得し、ステップ７で図２に示す対応テーブルを参照してこのカード番号が事前に登録された通行許可者かを判定する。通行許可者であれば、ステップ８で電気錠３を解錠する。
【００１５】
図４（ａ）、（ｂ）は、従来例と本実施の形態に係るＩＣカードとの通信方式の違いを説明するものである。ＩＣカードとして、近接型ＩＣカードタイプＡ、近接型ＩＣカードタイプＢ、近接型ＩＣカードタイプＣの複数種類のカードを使用する場合、従来例では、図４（ａ）に示すように、カードリーダ部２で使用するカードタイプすべて（タイプＡ，Ｂ，Ｃ）へのポーリングを行わなければならないため、通信処理が遅くなるが、本実施の形態では、例えば、登録されている顔画像に対応するカードタイプを近接型ＩＣカードタイプＢと特定できるので、図４（ｂ）に示す如く、ＩＣカードに対して通信を行う際カードタイプを特定し、処理速度を向上させることができる。
【００１６】
従って、実施の形態によれば、ＩＣカードに対しカード番号にリンクして登録してあるカードタイプのみの通信を行うだけで良いため、処理時間の短縮が図れる。また、処理時間の多くを占める顔認証を先に行うことで、処理をスムーズに行うことが可能となる。
【図面の簡単な説明】
【００１７】
【図１】この発明の実施の形態に係る入退出管理装置の構成を示すブロック図である。
【図２】図１のコントローラ４内の記憶部に格納されている顔画像とそれに対応するカードタイプとカード番号との対応テーブルの内容を示す図である。
【図３】図１のコントローラ４内の記憶部に格納されている処理プログラムの制御内容を示す動作フローチャートである。
【図４】従来例と本実施の形態に係るＩＣカードとの通信方式の違いを説明する図である。
【符号の説明】
【００１８】
１  カメラ、２  カードリーダ部、３  電気錠、４  コントローラ。
【図１】
2007164562.tif 000003
【図２】
2007164562.tif 000004
【図３】
2007164562.tif 000005
【図４】
2007164562.tif 000006